(57)【要約】【課題】排ガス浄化装置に関し、排ガス浄化性能を効率的に高める。【解決手段】内燃機関１の排ガスに含まれる粒子状物質を捕集して燃焼させる排ガス浄化装置３において、担体７の隔壁内部１３に貴金属を担持させる。また、粒子状物質の燃焼を促進する燃焼促進触媒は、下流側よりも上流側で高密度になるように担持させる。【選択図】図６
2020056382.tif 000002
【特許請求の範囲】
【請求項１】
担体の隔壁内部に貴金属が担持され、内燃機関の排ガスに含まれる粒子状物質を捕集して燃焼させる排ガス浄化装置において、前記粒子状物質の燃焼を促進する燃焼促進触媒が下流側よりも上流側で高密度に担持される
ことを特徴とする排ガス浄化装置。
【請求項２】
前記燃焼促進触媒が前記隔壁内部に担持される
ことを特徴とする請求項１記載の排ガス浄化装置。
【請求項３】
前記担体が入口セル及び出口セルを有するウォールフロー型担体であって、
前記燃焼促進触媒が、前記入口セルまでの距離が所定値以下となる範囲内に担持される
ことを特徴とする請求項１または２記載の排ガス浄化装置。
【請求項４】
前記担体の隔壁表面のうち前記入口セルに面する側の上流側に設けられ前記燃焼促進触媒が担持される入口上流部を備える
ことを特徴とする請求項３記載の排ガス浄化装置。
【請求項５】
前記担体の隔壁表面のうち前記出口セルに面する側かつ下流側に設けられ貴金属が担持される出口下流部を備える
ことを特徴とする請求項３または４記載の排ガス浄化装置。
【請求項６】
前記入口上流部と前記出口下流部とが側面視で上下方向にオーバーラップして配置される
ことを特徴とする請求項４に従属する請求項５に記載の排ガス浄化装置。
【請求項７】
前記隔壁内部に窒素酸化物をトラップする窒素酸化物トラップ触媒を含む
ことを特徴とする請求項１〜６のいずれか１項に記載の排ガス浄化装置。
【請求項８】
前記窒素酸化物トラップ触媒が上流側よりも下流側で高密度に担持される
ことを特徴とする請求項７記載の排ガス浄化装置。
【請求項９】
前記窒素酸化物トラップ触媒がバリウム及びカリウムを含み、前記窒素酸化物トラップ触媒の全体に対する前記カリウムの含有割合が上流側よりも下流側で高く設定される
ことを特徴とする請求項７または８記載の排ガス浄化装置。
【発明の詳細な説明】
【技術分野】
【０００１】
本発明は、内燃機関の排ガスに含まれる粒子状物質（PM）を捕集して燃焼させる排ガス浄化装置に関する。
【背景技術】
【０００２】
従来、内燃機関の排ガス（排気ガス）を浄化するための排ガス浄化装置として、触媒が担持された担体を用いて有害成分を除去するものが知られている。すなわち、多数の微細孔が貫通形成された担体（キャリア）の内部に触媒成分を固定して排ガスを流通させ、排ガス中に含まれる一酸化炭素，未燃燃焼成分，窒素酸化物，粒子状物質（Particulate Matter；以下PM）などを浄化するものである。担体の種類としては、セラミックス成形品や金属製品（メタル担体）などが存在する。また、担体に担持される触媒の種類は、浄化の対象となる物質に応じて多様に選択される（特許文献１〜３参照）。
【先行技術文献】
【特許文献】
【０００３】
【特許文献１】国際公開第2016/133086号
【特許文献２】国際公開第2017/119101号
【特許文献３】特開2010-269205号公報
【発明の概要】
【発明が解決しようとする課題】
【０００４】
ところで、担体上に捕集されるPMの分布は必ずしも均一ではなく、担体の形状や排ガスの流れ方などに応じた偏りが生じる。例えば、ウォールフロー型の担体では、入口セルに面した担体表面や、担体内部における排ガス流路の入口付近にPMが堆積しやすい。そのため、担体の上流側と下流側とでPMを均一に燃焼させることが難しいという課題がある。なお、PMの堆積量が増大しやすい上流側ほど焼却時間が長引きやすく、過昇温による性能低下のリスクがある。
【０００５】
本件の目的の一つは、上記のような課題に鑑みて創案されたものであり、PMを均一に燃焼させることができるようにした排ガス浄化装置を提供することである。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００６】
（１）開示の排ガス浄化装置は、担体の隔壁内部に貴金属が担持され、内燃機関の排ガスに含まれる粒子状物質を捕集して燃焼させる排ガス浄化装置である。本装置においては、前記粒子状物質の燃焼を促進する燃焼促進触媒が下流側よりも上流側で高密度に担持される。前記燃焼促進触媒の具体例としては、銀(Ag)，酸化セリウム(CeO2)，銀セリア(Ag/CeO2)，錫セリア(Sn/CeO2)，セリアジルコニア（CeO2/ZrO2）などが挙げられる。
【０００７】
前記隔壁内部に担持される貴金属の具体例としては、金(Au)，銀(Ag)，白金族元素〔ルテニウム(Ru)，ロジウム(Rh)，パラジウム(Pd)，オスミウム(Os)，イリジウム(Ir)，白金(Pt)〕などが挙げられる。これらの少なくとも一つ以上が、前記隔壁内部に担持される。好ましくは、白金(Pt)よりも触媒性能の高いロジウム(Rh)またはパラジウム(Pd)が前記隔壁内部に担持される。
【０００８】
（２）前記燃焼促進触媒が前記隔壁内部に担持されることが好ましい。つまり、前記燃焼促進触媒が前記隔壁内部の上流側に高密度で担持されることが好ましい。
（３）前記担体が入口セル及び出口セルを有するウォールフロー型担体であって、前記燃焼促進触媒が、前記入口セルまでの距離が所定値以下となる範囲内に担持されることが好ましい。例えば、前記隔壁の内部を厚み方向の中央で区画したときに、前記入口セルに近い側に前記燃焼促進触媒を担持させることが考えられる。
【０００９】
（４）前記担体の隔壁表面のうち前記入口セルに面する側の上流側に設けられ前記燃焼促進触媒が担持される入口上流部を備えることが好ましい。
（５）前記担体の隔壁表面のうち前記出口セルに面する側かつ下流側に設けられ貴金属が担持される出口下流部を備えることが好ましい。
（６）前記入口上流部と前記出口下流部とが側面視で上下方向にオーバーラップして配置されることが好ましい。
【００１０】
（７）前記隔壁内部に窒素酸化物をトラップする窒素酸化物トラップ触媒を含むことが好ましい。前記窒素酸化物トラップ触媒の具体例としては、アルカリ金属やアルカリ土類金属が挙げられる。例えば、バリウム(Ba)，カリウム(K)，ルビジウム(Rb)，ストロンチウム(Sr)，セシウム（Cs），フランシウム(Fr)，ラジウム(Ra)などである。
【００１１】
（８）前記窒素酸化物トラップ触媒が上流側よりも下流側で高密度に担持されることが好ましい。
（９）前記窒素酸化物トラップ触媒がバリウム及びカリウムを含み、前記窒素酸化物トラップ触媒の全体に対する前記カリウムの含有割合が上流側よりも下流側で高く設定されることが好ましい。
【発明の効果】
【００１２】
燃焼促進触媒を上流側で高密度に担持させることで、PM（粒子状物質）を効率的に燃焼させることができ、排ガス浄化性能を効率的に高めることができる。
【図面の簡単な説明】
【００１３】
【図１】排ガス浄化装置が適用された車両の内部を示す図である。
【図２】排ガス浄化装置の担体の構造を示す断面図である。
【図３】担体の内部構造（図２のＡ部）を拡大して示す断面図である。
【図４】貴金属の担持密度と炭化水素成分の浄化効率との関係を示すグラフである。
【図５】バリウム及びカリウムのNOx浄化効率を説明するためのグラフである。
【図６】PM燃焼促進触媒の担持密度の分布を説明するためのグラフである。
【図７】NOxトラップ触媒の担持密度の分布を説明するためのグラフである。
【図８】バリウム及びカリウムの含有割合を説明するためのグラフである。
【図９】(A)〜(C)は出口セル側の触媒カバー率を変化させたときの圧力損失，浄化性能，PM捕集効率の変化を説明するためのグラフである。
【図１０】(A)〜(C)は入口セル側の触媒カバー率を変化させたときの圧力損失，浄化性能，PM捕集効率の変化を説明するためのグラフである。
【発明を実施するための形態】
【００１４】
［１．構成］
以下、図面を参照して、実施形態としての排ガス浄化装置について説明する。図１に示すように、本件の排ガス浄化装置３は、エンジン１（内燃機関）を搭載した車両１０に適用される。エンジン１の種類はディーゼルエンジンであってもよいし、ガソリンエンジンであってもよい。なお、本件の排ガス浄化装置３は、リーンバーン運転が可能なガソリンエンジンに好適である。
【００１５】
排ガス浄化装置３は、エンジン１の排気通路２に介装される。排ガス浄化装置３は、排ガスに含まれる各種有害成分を効率よく浄化するための触媒装置であり、三元触媒としての機能と、窒素酸化物(NOx)吸蔵還元触媒としての機能と、PM除去フィルターとしての機能とを併せ持つ。排ガス浄化装置３の配設位置は、例えば図１中に示すように、エンジン１に近接した位置（エキゾーストマニホールドの直下流側や過給機の直下流側など）に設定してもよいし、エンジン１から離れた位置に設定してもよい。また、排ガス浄化装置３の上流側や下流側に三元触媒コンバーターを別設し、排ガス浄化性能を向上させてもよい。
【００１６】
排ガス浄化装置３の内部には、排ガスが通過しうる多数の流路が形成された多孔質体が設けられる。多孔質体とは、多孔質の担体７に触媒９を担持させたものであり、円筒状や楕円筒状，直方体状に形成される。担体７の材料は、炭化ケイ素やコーディエライト（コージライト）などのセラミックスであってもよいし金属であってもよい。担体７の空孔率は高いほど好ましい。本実施形態の担体７は空孔率が50[％]を超え、かつ直径が1[μm]以上の細孔についての細孔容積が0.2[mL/g]を超えるものとする。
【００１７】
触媒９を担体７に担持させるための母材例としては、酸化アルミニウム（アルミナ，Al2O3）や酸化セリウム（セリア，CeO2）や酸化ジルコニウム（ジルコニア，ZrO2）などが挙げられる。なお、還元環境下で酸素を吸蔵する酸素吸蔵材料を母材に含ませてもよい。酸素吸蔵材料の例としては、セリア・ジルコニア複合固溶体（CeO2-ZrO2系物質）や希土類オキシ硫酸塩（Ln2O2SO4）などが挙げられる。
【００１８】
排ガス浄化装置３に内装される多孔質体の構造は、ウォールフロー型であってもよいし、ストレート型であってもよい。本実施形態では、図２に示すようなウォールフロー型について詳述する。担体７の内部は、排ガスの流通方向に沿って複数のセル（小部屋状の通路）に分割され、各セルは多孔質の隔壁６（リブ）によって区画される。また、各セルは入口側か出口側のいずれかの端が目封じ８によって閉塞される。出口側の端部が閉塞されたセルは入口セル４と呼ばれ、入口側の端部が閉塞されたセルは出口セル５と呼ばれる。
【００１９】
それぞれの入口セル４は、少なくとも一つ以上の出口セル５に隣接するように配置され、好ましくは多数の出口セル５に隣接するように配置される。これにより、担体７の入口端面１１から流入した排ガスは、まず入口セル４へと進入し、隔壁６の中を通過したのちに出口セル５へと進入して、担体７の出口端面１２から流出する。つまり、すべての排ガスが隔壁６の内部を通過することになり、PM捕集効率が向上する。
【００２０】
担体７には、その部位に応じた種類の触媒９が担持される。まず、隔壁６の内部と表面とで異なる触媒９が担持される。ここで隔壁６の内部のことを「隔壁内部１３」と呼ぶ。図３に示すように、隔壁内部１３は、入口セル４に近い側と出口セル５に近い側との二領域に分類される。前者は入口セル４側の隔壁表面（または入口セル４）までの距離が所定値T以下となる部分であり、後者は入口セル４までの距離が所定値Tを超える部分である。所定値Tの値は任意であり、例えば隔壁６の厚みをTWALLとして「T≦0.5TWALL」の関係を満たすように設定される。以下、隔壁内部１３のうち入口セル４に近い側を「内部入口側１４」と呼び、出口セル５に近い側を「内部出口側１５」と呼ぶ。
【００２１】
隔壁６の表面には、入口セル４側と出口セル５側とで異なる触媒層が形成される。図２，図３に示すように、担体７の隔壁表面のうち、入口セル４に面する側の上流側には、入口上流部１６が設けられる。入口上流部１６は、入口端面１１から入口セル４の最奥部よりも手前までの範囲をカバーするように設けられる。つまり、入口セル４に面する隔壁表面のうち、入口上流部１６よりも出口端面１２側には触媒９が担持されない。側面視での入口上流部１６の長さL1は、入口セルの全長LUPに対して少なくとも「0<L1<LUP」の関係を満たし、好ましくは「0.5LUP≦L1<0.75LUP」の関係を満たすように設定される。
【００２２】
図３に示すように、入口上流部１６は基層１７と表層１８とを含む多層構造にしてもよい。この場合、表層１８は入口セル４に接触している入口上流部１６の表面、あるいはその表面に近い部分（その表面までの距離が第二所定値以下となる部分）である。基層１７は、表層１８よりも担体７側に位置する部分であって、好ましくは担体７に接触するように設けられる。図３に示す例では、表層１８以外の部分が基層１７になっている。このような多層構造では、基層１７と表層１８とに異なる触媒９を担持させることが好ましい。
【００２３】
また、担体７の隔壁表面のうち、出口セル５に面する側の下流側には、出口下流部１９が設けられる。出口下流部１９は、出口端面１２から出口セル５の最奥部よりも手前までの範囲をカバーするように設けられる。つまり、出口セル５に面する隔壁表面のうち、出口下流部１９よりも入口端面１１側には触媒９が担持されない。側面視での出口下流部１９の長さL2は、出口セルの全長LDOWNに対して少なくとも「0<L2<LDOWN」の関係を満たし、好ましくは「0.5LDOWN≦L2<0.75LDOWN」の関係を満たすように設定される。
【００２４】
より好ましくは、図２，図３に示すように、入口上流部１６と出口下流部１９とが側面視で上下方向にオーバーラップして配置される。例えば、側面視での入口セル４の全長LUPに対して、入口上流部１６の長さL1を60％とする。また、出口セル５の全長LDOWNに対して、出口下流部１９の長さL2も60％とする。この場合、入口上流部１６の下流端部と出口下流部１９の上流端部とが図２，図３中で上下方向にオーバーラップした状態となる。これにより、入口上流部１６や出口下流部１９の近傍を通過せずに流出する排ガスの量が減少し、PM捕集効率や排ガス浄化効率が向上する。
【００２５】
ここで、担体７に担持される触媒９の種類について詳述する。
隔壁内部１３には、貴金属触媒が担持される。貴金属の具体例としては、白金族元素〔白金(Pt)，パラジウム(Pd)，ルテニウム(Ru)，ロジウム(Rh)，オスミウム(Os)，イリジウム(Ir)〕や金(Au)，銀(Ag)などが挙げられる。好ましくは、白金よりも触媒性能の高いロジウムやパラジウムが用いられる。図４に示すように、ロジウムやパラジウムは白金よりも担持量あたりの触媒活性（全炭化水素に対する変換効率）が高い。したがって、ロジウムやパラジウムを用いることで、効率的に排ガス浄化性能を高めることができる。なお、ロジウムを用いる場合にはその担持密度を1.0[g/L]程度とする。
【００２６】
入口上流部１６には、銀(Ag)，酸化セリウム(CeO2)，銀セリア（Ag/CeO2），希土類元素（Rare-Earth Elements，REE）などを担持させることが好ましい。銀や酸化セリウムはPM燃焼促進材（燃焼促進触媒）として機能し、隔壁内部１３に担持される貴金属よりも低温でPMを燃焼させうる。その他の燃焼促進材の具体例としては、錫セリア(Sn/CeO2)やセリアジルコニア（CeO2/ZrO2）などが挙げられる。一方、希土類元素は、P/Znトラップ（リン及び亜鉛トラップ）として機能し、排ガス中に含まれるリンや亜鉛による被毒を抑制する。なお、銀を用いる場合にはその担持密度を2.0[g/L]程度とする。
【００２７】
前者（銀，酸化セリウム，銀セリア）と後者（希土類）とをともに入口上流部１６に担持させる場合には、前者が含まれる部位を入口セル４側に露出させることが好ましい。例えば図３に示す図中において、希土類元素を含む部位を基層１７とし、銀，酸化セリウム，銀セリアを含む部位を表層１８とすることが好ましい。この場合、希土類元素を含む基層１７をウォッシュコート法で形成した後に、銀，酸化セリウム，銀セリアを含む表層１８を再びウォッシュコート法で形成すればよい。入口セル４側に銀，酸化セリウムを露出させることで、PMの燃焼性が向上する。なお、前者（銀，酸化セリウム，銀セリア）と後者（希土類）とのいずれか一方を入口上流部１６に担持させる場合には、入口上流部１６を多層構造にせずに単層構造とすればよい。
【００２８】
ここでいう希土類元素の具体例としては、スカンジウム(Sc)，イットリウム(Y)，ランタノイド〔ランタン(La)，セリウム(Ce)，プラセオジム(Pr)，ネオジム(Nd)，プロメチウム(Pm)，サマリウム(Sm)，ユウロピウム(Eu)，ガドリニウム(Gd)，テルビウム(Tb)，ジスプロシウム(Dy)，ホルミウム(Ho)，エルビウム(Er)，ツリウム(Tm)，イッテルビウム(Yb)，ルテチウム(Lu)〕が挙げられる。これらの少なくとも一つ以上を入口上流部１６に担持させることで、P/Znトラップ性能が向上する。
【００２９】
出口下流部１９には、貴金属を担持させることが好ましい。出口下流部１９に担持される貴金属の具体例としては、白金族元素〔白金，パラジウム，ルテニウム，ロジウム，オスミウム，イリジウム〕，金，銀などが挙げられる。ここで担持される貴金属の種類は、隔壁内部１３に担持されるものと同一であってもよいし、相違してもよい。好ましくは、ロジウムまたはパラジウムが用いられる。なお、ロジウムを用いる場合にはその担持密度を0.4[g/L]程度とする。
【００３０】
なお、隔壁内部１３にNOxを一時的に吸蔵・吸着するNOxトラップ触媒（窒素酸化物トラップ触媒）を含ませてもよい。NOxトラップ触媒の具体例としては、アルカリ金属やアルカリ土類金属が挙げられる。例えば、バリウム(Ba)，カリウム(K)，ルビジウム(Rb)，ストロンチウム(Sr)，セシウム（Cs），フランシウム(Fr)，ラジウム(Ra)などであり、好ましくはバリウム及びカリウムが併用される。
【００３１】
図５に示すように、カリウムはバリウムよりも高温でのNOx浄化に適しており、燃焼温度の高いガソリンエンジンでの排ガス浄化に適している。また、カリウムはバリウムよりもNO2のトラップ性能が高く、NOx浄化効率が高い。一方、カリウムは熱的に不安定であり、担持位置から落下，飛散することがある。この場合、飛散したカリウムが他の触媒や貴金属の触媒作用（三元活性，特にTHC浄化性能）を阻害しうる。したがって、バリウムとカリウムとを併用することが好ましい。
【００３２】
触媒９の種類と担持位置との組み合わせを、以下の表１〜表８に例示する。ここでは、64種類の実施例（No.1〜No.64）を示す。表中の「Pd/Rh」はパラジウム及びロジウムを含むことを意味する。すべての実施例において、隔壁内部１３に貴金属が含まれている。また、表中の「Ag/CeO2」はPM燃焼促進触媒である銀セリアを含むことを意味する。銀セリアは隔壁内部１３や入口上流部１６に担持される（No.2〜16，18〜32，34〜48，50〜64）。
【００３３】
表中の「Ba/K」はバリウム及びカリウムを含むことを意味する。バリウム及びカリウムは隔壁内部１３に担持され、好ましくは少なくとも内部出口側１５に担持される（No.33〜64）。また、表中の「REE」は希土類元素を含むことを意味する。希土類元素は、入口上流部１６に担持される（No.3〜4，7〜8，11〜12，15〜16，19〜20，22〜24，27〜28，31〜32，35〜36，39〜40，43〜44，47〜48，51〜52，55〜56，59〜60，63〜64）。入口上流部１６に銀セリアと希土類元素とがともに含まれないものについては、二層構造にする（基層１７及び表層１８を形成する）必要はない。
【００３４】
表１〜表８中の空欄は、触媒非担持としてもよいし、何らかの触媒（例えば白金，遷移金属硫酸塩，アルカリ金属硫酸塩など）を担持させてもよい。ただし、少なくともNo.1，No.17，No.33，No.49の入口上流部１６については、何らかのPM燃焼促進触媒〔例えば、銀(Ag)，酸化セリウム(CeO2)，錫セリア(Sn/CeO2)，セリアジルコニア（CeO2/ZrO2）など〕が担持されているものとする。したがって、すべての実施例は担体７上に何らかのPM燃焼促進触媒を含む。
【００３５】
バリウム及びカリウムを含まない実施例は表１〜表４に記載されており、バリウム及びカリウムを含む実施例は表５〜表８に記載されている。また、出口下流部１９に貴金属を含まない実施例は表１〜表２に記載されており、出口下流部１９に貴金属を含む実施例は表３〜表８に記載されている。また、内部出口側１５に銀セリアを含まない実施例は表１，表３，表５，表７に記載されており、内部出口側１５に銀セリアを含む実施例は表２，表４，表６，表８に記載されている。
【００３６】
【表１】
2020056382.tif 000003
【００３７】
【表２】
2020056382.tif 000004
【００３８】
【表３】
2020056382.tif 000005
【００３９】
【表４】
2020056382.tif 000006
【００４０】
【表５】
2020056382.tif 000007
【００４１】
【表６】
2020056382.tif 000008
【００４２】
【表７】
2020056382.tif 000009
【００４３】
【表８】
2020056382.tif 000010
【００４４】
上記のすべての実施例（No.1〜64）において、PM燃焼促進触媒が下流側よりも上流側で高密度に担持される。ここでいう上流側及び下流側とは、排ガスの流れ方向を基準とした上流（流通元）及び下流（流通先）である。PM燃焼促進触媒の担持密度を設定するための具体的な手法としては、例えば以下の(A)〜(G)が考えられる。
【００４５】
(A) 入口上流部１６において、基層１７（下流側）よりも表層１８（上流側）で高密度に担持する。
(B) 隔壁内部１３において、内部出口側１５（下流側）よりも内部入口側１４（上流側）で高密度に担持する。
(C) 入口上流部１６及び隔壁内部１３において、表層１８,基層１７，内部入口側１４，内部出口側１５の順に担持密度が低くなるように担持する。
【００４６】
(D) 表層１８において、基層１７に近い部分（下流側）よりも表面（上流側）で高密度に担持する。
(E) 基層１７において、表層１８から遠い部分（下流側）よりも表層１８に近い部分（上流側）で高密度に担持する。
(F) 内部入口側１４において、入口セル４から遠い部分（下流側）よりも入口セル４に近い部分（上流側）で高密度に担持する。
(G) 内部出口側１５において、出口セル５に近い部分（下流側）よりも出口セル５から遠い部分（上流側）で高密度に担持する。
【００４７】
図６は、PM燃焼促進触媒の担持密度の設定例を示すグラフである。図６中の破線は、上記の(A)及び(D)に従った設定に対応する。また、図６中の一点鎖線は、上記の(B)及び(F)に従った設定に対応し、太実線は上記の(C)〜(G)に従った設定に対応する。このように、PMの堆積しやすい上流側に担持されるPM燃焼促進触媒の担持密度を下流側よりも高密度にすることで、担体７の上流側と下流側とでPMが均一に燃焼しやすくなる。これにより、同程度の焼却時間で担体７の各所に堆積していたPMが焼却されやすくなり、局所的な過昇温の発生が防止される。
【００４８】
また、NOxトラップ触媒としてバリウム及びカリウムを含む上記の実施例（No.33〜64）において、NOxトラップ触媒を上流側よりも下流側で高密度に担持させてもよい。NOxトラップ触媒の担持密度を設定するための具体的な手法としては、例えば以下の(H)〜(J)が考えられる。
【００４９】
(H) 隔壁内部１３において、内部入口側１４（上流側）よりも内部出口側１５（下流側）で高密度に担持する。
(I) 内部出口側１５において、出口セル５から遠い部分（上流側）よりも出口セル５に近い部分（下流側）で高密度に担持する。
(J) 内部入口側１４において、入口セル４に近い部分（上流側）よりも入口セル４から遠い部分（下流側）で高密度に担持する。
【００５０】
図７は、NOxトラップ触媒の担持密度の設定例を示すグラフである。図７中の破線は上記の(H)に従った設定に対応し、一点鎖線は上記の(H)〜(I)に従った設定に対応し、実線は上記の(H)〜(J)に従った設定に対応する。このように、隔壁内部１３に担持されるNOxトラップ触媒の担持密度を上流側よりも下流側で高密度に設定することで、NOxスリップが効果的に抑制される。
【００５１】
なお、バリウム及びカリウムの含有割合は、図８に示すように担体７の部位ごとに相違させてもよい。すなわち、バリウムの含有割合を上流側で高く設定するとともに下流側で低く設定してもよい。言い換えれば、カリウムの含有割合を上流側で低く設定するとともに下流側で高く設定してもよい。このような設定により、カリウムの飛散による他の触媒作用の低下が抑制される。
【００５２】
［２．作用・効果］
図９(A)〜(C)は、入口上流部１６の長さL1を入口セル４の全長LUPの半分（50％）に固定し、出口下流部１９の長さL2をゼロから出口セル５の全長LDOWNまで（0％から100％まで）変化させたときに、圧力損失，排ガスの浄化性能，PM捕集効率のそれぞれがどのように変化するかを示すグラフである。
【００５３】
圧力損失は、出口下流部１９の長さL2を全長LDOWNの7〜8割以下にすることで比較的小さな値に抑えることが可能である。また、浄化性能及びPM捕集効率は、出口下流部１９の長さL2を全長LDOWNの半分以上にすることで急激に上昇する。したがって、出口下流部１９の好ましい長さL2の範囲はおよそ0.5LDOWN≦L2<0.75LDOWNと考えられる。なお、図９(A)〜(C)中の破線は、隔壁内部１３に担持される貴金属の担持量を増加させた場合の圧力損失，排ガスの浄化性能，PM捕集効率を示す。このように、出口下流部１９が出口セル５の全長LDOWNにわたるような広範囲に形成されない場合であっても、隔壁内部１３の貴金属担持量を増加させることで良好な排ガス浄化性能が維持されうる。
【００５４】
図１０(A)〜(C)は、出口下流部１９の長さL2を出口セル５の全長LDOWNの半分（50％）に固定し、入口上流部１６の長さL1をゼロから入口セル４の全長LUPまで（0％から100％まで）変化させたときに、圧力損失，排ガスの浄化性能，PM捕集効率のそれぞれがどのように変化するかを示すグラフである。入口上流部１６の長さL1を全長LDOWNの7〜8割以下にすることで圧力損失を小さく抑えることが可能である。また、浄化性能及びPM捕集効率は、入口上流部１６の長さL1を全長LUPの半分以上にすることで急激に上昇する。したがって、入口上流部１６の好ましい長さL1の範囲はおよそ0.5LUP≦L1<0.75LUPと考えられる。
【００５５】
（１）図６に示すように、PM燃焼促進触媒を上流側で高密度に担持させることで、PMを効率的に燃焼させることができ、排ガス浄化性能を効率的に高めることができる。特に、PMが堆積しやすい上流側での迅速な着火を促すことができ、燃焼のきっかけを生じやすくすることができる。これにより、担体７の上流側と下流側とでPMを均一に燃焼させることができ、焼却時間を上流側と下流側とでほぼ同程度にすることができる。これにより、局所的な過昇温の発生を防止することができ、排ガス浄化性能を効率的に高めることができる。
【００５６】
（２）表１〜表８のNo.5〜16，21〜32，37〜48，53〜64に示すように、隔壁内部１３にPM燃焼促進触媒を担持させることで、隔壁内部１３に堆積したPMをより低温な状態で燃焼させることができる。したがって、PM燃焼効率を高めることができるとともに、PMによる目詰まりや圧損上昇を防止することができる。
（３）隔壁内部１３でPMが堆積しやすい内部入口側１４にPM燃焼促進触媒を担持させることで、PM燃焼効率をさらに高めることができる。
【００５７】
（４）排ガス中のPMとの接触確率が最も高い入口上流部１６にPM燃焼促進触媒を担持させることで、PM燃焼効率をさらに高めることができるとともに、例えば冷態始動直後の担体７を早期に昇温させることができる。また、PMが隔壁内部１３に進入する前に燃焼させることが可能となり、排気通路２の圧力損失を低減させることができる。したがって、総合的な排ガス浄化性能を高めることができる。
【００５８】
（５）表３〜表８のNo.17〜64に示すように、出口下流部１９に貴金属触媒を含ませることで、出口セル５側でのNOx還元効率を高めることができる。これにより、排ガス浄化装置３からのNOxのスリップ量を減少させることができ、排ガス浄化性能を効率的に高めることができる。
【００５９】
（６）図２，図３に示すように、入口上流部１６と出口下流部１９とを側面視で上下方向にオーバーラップさせることで、PM捕集効率や排ガス浄化効率を高めることができる。なお、入口上流部１６の長さL1を0.5LUP≦L1<0.75LUPの範囲内で設定するとともに、出口下流部１９の長さL2を0.5LDOWN≦L2<0.75LDOWNの範囲内で設定すれば、図９〜図１０に示すように、圧力損失を過度に上昇させることなく浄化性能とPM捕集効率とを高い水準に維持することができる。
【００６０】
（７）表５〜表８のNo.33〜64に示すように、隔壁内部１３にNOxトラップ触媒（バリウム及びカリウム）を含ませることで、隔壁内部１３のNOx吸蔵量を増加させることができる。また、隔壁内部１３には貴金属も含まれているため、バリウムやカリウムに吸蔵されたNOxをその場で還元することが容易であり、NOx浄化効率を高めることができる。
【００６１】
（８）図７に示すように、NOxトラップ触媒を下流側で高密度に担持させることで、排ガス浄化装置３からスリップしようとしたNOxをより確実に捕獲することができ、NOxスリップを効果的に抑制することができる。したがって、排ガス浄化装置３からのNOxのスリップ量を減少させることができ、排ガス浄化性能を効率的に高めることができる。
【００６２】
（９）図８に示すように、カリウムの担持割合を下流側で高く設定することで、カリウムの飛散を抑制することができるとともに、飛散による他の触媒作用の低下を防ぐことができる。したがって、排ガス浄化性能を効率的に高めることができる。また、バリウムがカリウムよりも上流側に担持されることから、低温時のNOxトラップ性能を向上させることができる。
【００６３】
［３．変形例］
上記の実施形態はあくまでも例示に過ぎず、本実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００６４】
上述の実施形態ではエンジン１を搭載した車両１０を例示したが、本件の適用対象は車両１０に限定されない。上記の排ガス浄化装置３は、例えば船舶や航空機などに搭載されるエンジン１の排気通路２に介装させることが可能である。あるいは、発電機や産業用機械に内蔵されるエンジン１の排ガス浄化装置３として利用することができる。
【符号の説明】
【００６５】
１  エンジン（内燃機関）
２  排気通路
３  排ガス浄化装置
４  入口セル
５  出口セル
６  隔壁
７  担体
８  目封じ
９  触媒
１０  車両
１１  入口端面
１２  出口端面
１３  隔壁内部
１４  内部入口側
１５  内部出口側
１６  入口上流部
１７  基層
１８  表層
１９  出口下流部
【図１】
2020056382.tif 000011
【図２】
2020056382.tif 000012
【図３】
2020056382.tif 000013
【図４】
2020056382.tif 000014
【図５】
2020056382.tif 000015
【図６】
2020056382.tif 000016
【図７】
2020056382.tif 000017
【図８】
2020056382.tif 000018
【図９】
2020056382.tif 000019
【図１０】
2020056382.tif 000020